(57)【特許請求の範囲】
【請求項１】
被洗髪者の頭部を覆う湾曲形状を有する支持部材と、
前記支持部材の外面側に配置される袋状体と、
前記袋状体を駆動する駆動手段とを備え、
前記支持部材は、外面側と内面側とを連通する連通部が形成され、
前記袋状体は、前記連通部に挿入される複数の突起部を有し、流体の導入により膨張して前記突起部が前記支持部材の内面側に突出するように構成されており、
前記駆動手段は、膨張した前記袋状体を前記支持部材の外面に沿って駆動する自動洗髪装置。
【請求項２】
前記支持部材は、洗髪液が通過する流路を内部に有し、内面側に形成された吐出口を介して洗髪液を吐出することができる請求項１に記載の自動洗髪装置。
【請求項３】
前記駆動手段は、前記袋状体に動力伝達機構を介して連結された電動モータを備える請求項１または２に記載の自動洗髪装置。
【発明の詳細な説明】
【技術分野】
【０００１】
本発明は、自動洗髪装置に関する。
【背景技術】
【０００２】
従来の自動洗髪装置として、特許文献１には、仰向け状態の被洗髪者の襟首付近を支持部で支持し、弾性体からなる複数の接触子を被洗髪者の後頭部に接触させて駆動することにより、後頭部を支持しつつ、この支持部分を擦り洗いする構成が開示されている。
【０００３】
ところが、このような構成により被洗髪者の頭髪全体を洗浄しようとすると、頭部の形状や大きさ、毛髪量等が被洗髪者によって異なることから、接触子の全体を頭部に当接させて洗髪することが困難であった。
【先行技術文献】
【特許文献】
【０００４】
【特許文献１】特開２０１２−１８３１４９号公報
【発明の概要】
【発明が解決しようとする課題】
【０００５】
そこで、本発明は、頭髪の洗浄を容易且つ確実に行うことができる自動洗髪装置の提供を目的とする。
【課題を解決するための手段】
【０００６】
本発明の前記目的は、被洗髪者の頭部を覆う湾曲形状を有する支持部材と、前記支持部材の外面側に配置される袋状体と、前記袋状体を駆動する駆動手段とを備え、前記支持部材は、外面側と内面側とを連通する連通部が形成され、前記袋状体は、前記連通部に挿入される複数の突起部を有し、流体の導入により膨張して前記突起部が前記支持部材の内面側に突出するように構成されており、前記駆動手段は、膨張した前記袋状体を前記支持部材の外面に沿って駆動する自動洗髪装置により達成される。
【０００７】
この自動洗髪装置において、前記支持部材は、洗髪液が通過する流路を内部に有し、内面側に形成された吐出口を介して洗髪液を吐出可能であることが好ましい。
【０００８】
前記駆動手段は、前記袋状体に動力伝達機構を介して連結された電動モータを備えることができる。
【発明の効果】
【０００９】
本発明の自動洗髪装置によれば、頭髪の洗浄を容易且つ確実に行うことができる。
【図面の簡単な説明】
【００１０】
【図１】本発明の一実施形態に係る自動洗髪装置の概略構成を示す側面図である。
【図２】図１に示す自動洗髪装置の要部断面図である。
【図３】図１に示す自動洗髪装置の作動を説明するための拡大断面図である。
【発明を実施するための形態】
【００１１】
以下、本発明の実施の形態について、添付図面を参照して説明する。図１は、本発明の一実施形態に係る自動洗髪装置の概略構成を示す側面図である。図１に示すように、自動洗髪装置１は、基台１０の上部に本体２０が支持されており、ベッドＢに仰向けに寝た被洗髪者の頭部Ｈを本体２０に挿入して洗髪できるように構成されている。基台１０は、本体２０を上下動可能に支持する電動シリンダ１１を備えており、本体２０を所望の高さ位置に保持することができる。
【００１２】
基台１０は、温水等の洗髪液を貯留する供給タンク１２と、洗髪後の排液を回収する回収タンク１３とを備えており、それぞれ配管１４，１５を介して本体２０に接続されている。供給タンク１２は、温水等の洗浄液が貯留されており、供給モータ１２ａの作動により、本体２０に向けて洗浄液を供給することができる。本体２０は、筐体状に形成されており、内部に収容された袋状体に圧縮空気等の流体を導入する導入管２１と、この袋状体を駆動する駆動手段としての電動モータ５０，６０とを備えている。導入管２１は、切替弁Ｖを介してコンプレッサＣに接続される。
【００１３】
図２は、図１に示す自動洗髪装置１において、本体２０の内部構成を示す断面図である。本体２０は、筐体前面に形成された開口部２２の周縁にゴム等の弾性体からなるリング部材２３が装着されており、被洗髪者の頭部Ｈを本体２０の内部に挿入することにより、リング部材２３が頭部Ｈの周辺に密着するように構成されている。開口部２２の下部近傍には、被洗髪者の頸部Ｎを支持する頸部支持部２４が設けられており、リング部材２３および頸部支持部２４により被洗髪者の頭部Ｈを保持することができる。
【００１４】
本体２０の内部には、筐体内面に取り付けられた支持部材３０と、支持部材３０の外面側に配置される袋状体４０とを備えている。支持部材３０は、例えば合成樹脂等から形成され、被洗髪者の頭部Ｈを覆う湾曲形状を有する中空の部材であり、供給タンク１２（図１参照）から配管１４を介して洗浄液が供給される。支持部材３０は、頭部Ｈに面する側の内面と、頭部Ｈと反対側の外面とに、それぞれ複数の孔部が形成されており、内面と外面との孔部同士が筒状の連通部３１で連結されることにより、支持部材３０の外面側と内面側とが連通されている。支持部材３０の内面には、連通部３１とは別に複数の吐出口３２が形成されており、支持部材３０の内部空間が洗浄液の流路となって、各吐出口３２から洗浄液が吐出される。吐出口３２は、洗浄液を頭部全体に略均一に噴射することができるように、配置や大きさを適宜設定することが好ましい。本体２０の底部は、配管１５を介して回収タンク１３（図１参照）に接続されており、吐出口３２から噴射して本体２０の底部に貯留された洗浄液が、配管１５から排出される。
【００１５】
袋状体４０は、例えばナイロン織布やポリエステル織布等からなるエアバッグ状に形成され、可撓性の導入管２１を介して接続されたコンプレッサＣ（図１参照）の作動により給気して膨張させることができ、切替弁Ｖ（図１参照）の作動により大気に開放して収縮させることができる。袋状体４０の表面には、支持部材３０の各連通部３１に挿入される複数の突起部４１が設けられている。突起部４１は、合成樹脂やゴム等の可撓性材料からなり、先端に平坦部を有する円錐台状に形成され、連通部３１の内壁面との間に隙間が生じて連通部３１内で僅かに移動可能となるように配置されている。突起部４１の長さは、袋状体４０が膨張して支持部材３０の外面に密着した状態で、先端部が支持部材３０の内面側に突出するように設定されている。また、袋状体４０は、支持部材３０からの脱落を防止しつつ、支持部材３０に沿って摺動可能となるように、ゴム紐などの伸縮性を有する保持部材４２により支持部材３０に保持されている。導入管２１から袋状体４０に供給する流体としては、圧縮空気以外に、窒素ガス等の他の気体や液体でもよい。
【００１６】
袋状体４０の外面は、動力伝達機構５２を介して、本体２０の筐体外面に支持されたサーボモータ等の電動モータ５０に連結されている。動力伝達機構５２は、本実施形態ではクランク機構からなり、電動モータ５０の回転軸５０ａに取り付けられた回転体５３の回転運動を、動力伝達機構５２により上下方向の運動に変換して袋状体４０に伝達することにより、袋状体４０を支持部材３０の外面に沿って矢示方向に移動させる。本実施形態の自動洗髪装置１は、図１に示すように、複数の電動モータ５０，６０を駆動手段として備えており、それぞれの電動モータ５０，６０が、袋状体４０を支持部材３０の外面に沿って異なる方向（例えば、上下方向と水平方向）に往復動させることができる。電動モータ５０，６０の数は、単一であってもよく、あるいは３つ以上設けることも可能であり、いずれの場合も支持部材３０の外面に沿って袋状体４０を駆動することができる。動力伝達機構５２の構成は、電動モータ５０の回転により袋状体４０を往復動させることが可能であれば、特に限定されるものではなく、例えば、ボールねじ機構等であってもよい。また、駆動手段は、電動モータ以外に、電動シリンダやエアシリンダ等であってもよい。
【００１７】
次に、上記の構成を備える自動洗髪装置１の作動を説明する。図２に示すように、被洗髪者の頭部Ｈを本体１０の内部に挿入した後、コンプレッサＣ（図１参照）の作動により袋状体４０に圧縮空気を導入すると、袋状体４０は、図３（ａ）に示す収縮状態から図３（ｂ）に示す膨張状態となり、各突起部４１の先端部が支持部材３０の内面側に突出して頭部Ｈに当接する。
【００１８】
ついで、供給タンク１２の供給ポンプ１２ａ（図１参照）を作動させて、図３（ｃ）に示すように、支持部材３０の吐出口３２から洗浄液Ｌを噴射すると共に、電動モータ５０，６０（図１参照）を作動させて、袋状体４０を支持部材３０の外面に沿って２方向に往復動させる。袋状体４０の往復動に伴い、各突起部４１は頭部Ｈに沿って小刻みに振動し、洗髪を行うことができる。
【００１９】
頭部Ｈに供給する洗浄液は、温水以外に、シャンプー液やコンディショナー液等であってもよく、これらを複数のタンク（図示せず）に個別に収容しておき、洗髪者が手動で順次切り替えて頭部Ｈに供給できるように構成してもよい。温水、シャンプー液、コンディショナー液等の供給は、予め設定された供給順序や供給量に基づいて、自動的に行われるように構成することもできる。また、電動モータ５０，６０による袋状体４０の駆動と共に、切替弁Ｖの作動により袋状体４０の膨張および収縮を繰り返し行い、頭部Ｈを軽くタッピングすることもできる。
【００２０】
本実施形態の自動洗髪装置１によれば、支持部材３０の外面に配置した袋状体４０を膨張させて、突起部４１を支持部材３０の内面側に突出させるように構成しているため、頭部Ｈの大きさや形状、配置等に拘わらず、各突起部４１の先端部を、適度な押圧力で頭部Ｈに当接させることができる。そして、膨張した袋状体４０を電動モータ５０，６０により駆動することで、袋状体４０を支持部材３０の外面に沿ってスムーズに移動させることができ、頭部Ｈに当接した突起部４１を確実に動作させることができる。したがって、頭部Ｈを柔らかくマッサージするように洗髪を行うことができ、被洗髪者の快適性を向上させることができると共に、美容師等の洗髪者の作業負担を軽減することができる。
【符号の説明】
【００２１】
１  自動洗髪装置
１０  基台
２０  本体
３０  支持部材
３１  連通部
３２  吐出口
４０  袋状体
４１  突起部
５０，６０  電動モータ
５２  動力伝達機構
【要約】
【課題】  髪全体の洗浄を容易且つ確実に行うことができる自動洗髪装置を提供する。
【解決手段】  被洗髪者の頭部Ｈを覆う湾曲形状を有する支持部材３０と、支持部材３０の外面側に配置される袋状体４０と、袋状体４０を駆動する駆動手段５０とを備え、支持部材３０は、外面側と内面側とを連通する連通部３１が形成され、袋状体４０は、連通部３１に挿入される複数の突起部４１を有し、流体の導入により膨張して突起部４１が支持部材３０の内面側に突出するように構成されており、駆動手段５０は、膨張した袋状体４０を支持部材３０の外面に沿って駆動する自動洗髪装置１である。
【選択図】  図１【図１】
0005944025.tif 000002
【図２】
0005944025.tif 000003
【図３】
0005944025.tif 000004